(57)【特許請求の範囲】
【請求項１】
プーリー間に巻回された少くとも２対の無端ベルトを対向配置してこの無端ベルトの配設外側縁間の間隔より広幅の紙葉類を該無端ベルトの対向面間で挟持し駆動プーリーの回動により紙葉類を搬送する紙葉類搬送装置において、前記無端ベルトの出口端のプーリーの近傍に紙葉類を後流側へ受け渡す際の案内部材としての紙葉類ガイドを設け、この紙葉類ガイドは、前記複数対の無端ベルトの配設外側縁位置から紙葉類の進入する側に向けて無端ベルトの前記外側縁にそって延びかつその先端が紙葉類搬送方向上流側において無端ベルトの搬送面とは反対側の面に重なり合う位置におかれるガイドアームを具有することを特徴とする紙葉類搬送装置における紙葉類ガイド構造。
【発明の詳細な説明】
【０００１】
【発明の属する技術分野】
本発明は紙葉類搬送装置に係り、特に無端ベルト間に紙葉類を挟持して搬送する方式の紙葉類搬送装置における紙葉類ガイド構造に関する。
【０００２】
【従来の技術】
紙幣等の紙葉類を無端ベルト間に挟持して搬送し、その無端ベルトの末端間から紙葉類を識別部その他後流側へ受け渡すようにする紙葉類搬送装置にあっては、無端ベルトの両側から突出した紙葉類の搬送方向外側端部が垂れ下がり、この垂れ下がり部分が後流側の壁面等に衝突することによって受け渡し時のジャムを発生させることがある。
【０００３】
そのため従来から図３（Ａ）に平面図を示すように２対の無端ベルト１，１の末端位置に平面視「山」字状をなす紙葉類ガイド２が設けられている。
【０００４】
この紙葉類ガイド２の中央に位置する舌状のアーム２ａは無端ベルト１，１の間に位置され、両側のアーム２ｂ，２ｂは無端ベルト１，１の配設外側縁１ａ，１ａの外側にこれと平行して位置されるようになっている。
【０００５】
このような紙葉類ガイド２を付設すれば、搬送される紙幣のような紙葉類Ｐの搬送方向外側端縁が垂れ下がっても前記アーム２ｂ，２ｂによってガイドされることにより後流側の例えば識別部３の入口へ円滑に送り込めるようになるとされているが、図３（Ｃ）に示すように紙葉類Ｐの両側端縁部の垂れ下がりＰａ，Ｐａの量は紙葉類Ｐの外側端に至るほど大きくなることからその垂れ下がりＰａ，Ｐａの先端が前記アーム２ｂ，２ｂの先端に衝突するおそれがある。
【０００６】
かかることから図３（Ｂ）に示しているようにアーム２ｂ，２ｂの先端部を無端ベルト１の搬送面に対し大きい角度θをもって該ベルト１から離反する方向に曲げた折曲部２ｃとして前記の衝突を回避するようにしておくことが必要となる。
【０００７】
しかし上記紙葉類ガイド２の折曲部２ｃの折曲角θを大きくとると、図３（Ｂ）に符号Ｐ′ａで示すように紙葉類Ｐの垂れ下がり部分が折曲部２ｃに突き当たるおそれが生じ、やはりジャムの発生原因となるという第１の問題点がある。また搬送される紙葉類Ｐの搬送方向先端側に角折れが生じているときは、この角折れ部分が無端ベルト１と紙葉類ガイド２のアーム２ｂ，２ｂとの間の隙間Ｓ，Ｓに入り込み、紙葉類ガイド２の基部２ｄに突き当ってジャムを発生させるという第２の問題点がある。
【０００８】
上記第１の問題点の解決を図るものとして、例えば実開昭６２−１５０４５５号公報に示されるものがある。この公報に記載のものは、搬送される紙葉類を分岐させるゲート部材に適用したものとして例示されており、その構成は送りベルトの幅を挟んで一対のゲート部材を配設し、このゲート部材の平面視形状を送りベルトに近い側とは反対側の側面を斜めに削落した形態とされたものである。
【０００９】
【発明が解決しようとする課題】
しかるに上記公報に記載のものでは、前述の第１の問題点に対しては或る程度の解決を図ることはできるかも知れないが、例えば送りベルトの側部から外れた紙葉類の搬送方向先端側に波打ち等の状態が存在している場合にはこの紙葉類の先端がガイドの先端に衝突することは避け難く、したがって前記第１の問題点に対して十分な解決策とはなっていない。ましてや前記第２の問題点に対しては全く解決されない。
【００１０】
上記各問題点は、とりわけ外国紙幣を対象とした紙葉類搬送装置において顕著に現われる。すなわち外国紙幣の場合は我が国における流通紙幣とは違って額面によりその紙幣幅が大きく異なっており、このような紙幣を対象とすると最も幅の狭い紙幣に合わせて搬送ベルトの間隔を設定しなければならず、そのため幅広の紙幣ほど搬送時に両側端部の垂れ下がり量が多くなり、益々紙葉類ガイドへの衝突や搬送ベルトと紙葉類ガイドとの間隙に入り込みやすく、ジャムを起こしやすいものとなる。
【００１１】
本発明はこれに鑑み、搬送される紙葉類の両側端部に垂れ下がりがあったり、角折れや波打ちがあっても紙葉類の外側端部を確実にガイドし、後流側へ円滑に受け渡すことができる紙葉類ガイド構造を提供することを課題としてなされたものである。
【００１２】
【課題を解決するための手段】
上記課題を解決する手段として本発明は、プーリー間に巻回された少くとも２対の無端ベルトを対向配置してこの無端ベルトの配設外側縁間の間隔より広幅の紙葉類を該無端ベルトの対向面間で挟持し駆動プーリーの回動により紙葉類を搬送する紙葉類搬送装置において、前記無端ベルトの出口端のプーリーの近傍に紙葉類を後流側へ受け渡す際の案内部材としての紙葉類ガイドを設け、この紙葉類ガイドは、前記複数対の無端ベルトの配設外側縁位置から紙葉類の進入する側に向けて無端ベルトの前記外側縁にそって延びかつその先端が紙葉類搬送方向上流側において無端ベルトの搬送面とは反対側の面に重なり合う位置におかれるガイドアームを具有することを特徴とする。
【００１３】
こうしたことにより、無端ベルト間に挟持されて搬送される紙葉類の外側端部に垂れ下がりや折れ曲がりが生じていても、紙葉類ガイドのガイドアームの先端位置に至るとこのガイドアームの先端は無端ベルトの下面側に入り込んでいるのでこのガイドアームが紙葉類の外側端縁を抄い上げるように作用し、抄い上げたのちはガイドアームの上面に誘導されることになって確実にガイドとしての機能を果す。したがって紙葉類に垂れ下がりや角折れ等が生じていても紙葉類ガイドに衝突することがなく、円滑にガイドして後流側へ受け渡すことができる。
【００１４】
【発明の実施の形態】
以下、本発明を図面に示す実施の形態を参照し、図３と共通する部材には同一符号を付して説明する。
【００１５】
図１は、紙葉類としての紙幣をその識別部３へ送り込む搬送装置に本発明を適用した場合の一実施形態の側面図を示し、図２は図１の要部の右正面図を示している。
【００１６】
上記搬送装置は、プーリー４，５，６，７を経由して掛回される左右一対の無端ベルト８，８と、プーリー９，１０，１１，５を経由して掛回され前記無端ベルト８，８と相対する左右一対の無端ベルト１２，１２とで構成され、プーリー４，６と９，１１との間の無端ベルト８，１２の間に紙幣を挟持して矢印方向に搬送するようになっている。なお上記搬送装置の出口端に位置するプーリー６，１１が駆動プーリーとされている。
【００１７】
前記無端ベルト８，８および１２，１２の配設外側縁間隔Ｌは、図２に示すように取り扱う紙幣のうち最小幅紙幣Ｐ1 の外側端縁間の寸法よりやや小さい寸法とされている。
【００１８】
前記無端ベルト８，１２の出口端に位置するプーリー６，１１間に紙幣の金種等を識別する識別部３の入口部３ａが臨むように配設されている。
【００１９】
前記プーリー６，１１間の位置から識別部３の入口部３ａへ紙幣（Ｐで総称する）を送り込む箇所に紙葉類ガイド１３が設けられる。
【００２０】
この紙葉類ガイド１３は薄い板材で構成されるもので、図２にみられるように機枠１４側に固定される基部１５から無端ベルト８，８の搬送方向上流側に向けて延びる左右のガイドアーム１６，１６を有し、中央位置には左右の無端ベルト８，８間に位置する中央ガイド１７が設けられている。
【００２１】
前記ガイドアーム１６，１６は、前記基部１５側では前記無端ベルト８，８の外側に位置し、途中から左右の無端ベルト８，８側へ向けて屈曲され、その先端部１６ａ，１６ａは無端ベルト８，８の紙幣を挟持する搬送面とは反対側の面に一部が重なり合う位置まで延びており、先端部１６ａ，１６ａから基部１５側への外側縁部は傾斜面１６ｂ，１６ｂとなっている。そしてガイドアーム１６，１６の外側端縁間の幅は最大幅紙幣Ｐ2 と略同幅とされている。
【００２２】
図示の実施形態では、上記紙葉類ガイド１３が無端ベルト８，１２を挟むようにその両側に一対として設けられており、無端ベルト８，１２間の紙幣Ｐがいずれの方向へ折れ曲がっていてもこれを矯正して搬送されるようにしている。
【００２３】
前記中央ガイド１７はその先端１７ａが無端ベルト８，１２に対し所要角度離反する方向に屈曲されている。
【００２４】
したがって無端ベルト８，１２間に挟持されて搬送される紙幣Ｐの外側端縁が垂れ下がったり折れ曲がっていても、紙葉類ガイド１３，１３のガイドアーム１６，１６の先端部１６ａ，１６ａの位置に至ると無端ベルト８，１２間に挟持されている部位から外側方にかけてガイドアーム１６，１６が存在するので無端ベルト８，１２の外側方に突出している紙幣Ｐの外側端縁は必ずガイドアーム１６，１６の傾斜面１６ｂ，１６ｂにそってガイドアーム１６，１６上に誘導され、平坦化されて送られる。
【００２５】
これにより紙幣Ｐの幅の如何に拘らず搬送方向先端がガイドアーム１６，１６の先端に衝突することは皆無となり、また無端ベルト８，１２とガイドアーム１６，１６との間隙に紙幣Ｐが入り込むことも皆無とすることができ、どのような紙幣Ｐが搬送されてきても識別部３へ確実に受け渡すことができる。
【００２６】
なお取り扱う紙葉類としては、上記紙幣以外の紙葉類であっても同様の効果を得ることができる。
【００２７】
【発明の効果】
以上説明したように本発明によれば、無端ベルト間に挟持される紙葉類と搬送末端部近傍に配設する紙葉類ガイドを複数対の無端ベルトの配設外側縁位置から紙葉類の進入する側に向けて無端ベルトの前記外側縁にそって延びかつその先端が紙葉類搬送方向上流側において無端ベルトの搬送面とは反対側の面に重なり合う位置におかれるガイドアームを具有する構成としたことにより、搬送されてくる紙葉類の外側端縁に垂れ下がりがあっても必ずガイドアームにそわせて搬送することができ、紙葉類ガイドに突き当たることがない。
【００２８】
また紙葉類の搬送方向先端に角折れがあっても、この角折れ部分が無端ベルトとガイドアームとの間に入り込むことが皆無にでき、これらに起因するジャムの発生を確実に防止することができる。
【００２９】
加えて前記角折れ部分は紙葉類ガイドのガイドアームに乗り上げられながら搬送されることになるので、この乗り上がるときその折れ曲がりが矯正されるという効果も十分に期することができる。
【００３０】
したがって本発明は、額面によって幅に著しい差のある外国紙幣を取り扱う機械の搬送装置に適用すれば特別顕著な効果を奏する。
【図面の簡単な説明】
【図１】本発明の一実施形態を示す側面図。
【図２】図１の要部の右正面図。
【図３】従来の技術を示し、（Ａ）は正面図、（Ｂ）は側面図、（Ｃ）は紙葉類の外側端縁の垂れ下がりを示す断面図。
【符号の説明】
１，８，１２  無端ベルト
２，１３  紙葉類ガイド
３  識別部
１５  基部
１６  ガイドアーム
１６ｂ  傾斜面
１７  中央アーム
【図１】
0003649940.tif 000002
【図２】
0003649940.tif 000003
【図３】
0003649940.tif 000004